【事件の表示】
　特願２００４−２０７１６８「画像形成システム」拒絶査定不服審判事件〔平成１７年　６月２３日出願公開、特開２００５−１６１８３７〕について、次のとおり審決する。
【結　論】
　本件審判の請求は、成り立たない。
【理　由】
第１　手続の経緯
　本願は、平成１６年７月１４日（優先権主張平成１５年１１月１４日）の出願であって、平成２１年９月２８日付けで拒絶査定がなされ、これに対して、同年１２月９日付けで拒絶査定不服審判の請求がなされると同時に、手続補正がなされたものである。
　
第２　平成２１年１２月９日付けの手続補正についての補正の却下の決定
〔補正の却下の決定の結論〕
　平成２１年１２月９日付けの手続補正を却下する。
　
〔理由〕
１　本件補正の内容
（１）平成２１年１２月９日付けの手続補正（以下「本件補正」という。）は、特許請求の範囲及び明細書についてするもので、特許請求の範囲の請求項１については、本件補正前に、
　
「画像形成装置と後処理装置からなる画像形成システムにおいて、
　前記画像形成装置は、連続する複数の記録媒体の片面又は両面に対しページ番号を付与して画像形成を行うプリンタ部と、
前記
　前記後処理装置は
、画
前記
　前記制御手段は、前記連続する複数の記録媒体に
付与するページ番号を、前記印刷モードが片面か両面かの印刷モードの判定結果に基づき、前記挿入する挿入シートのページ数を異なるカウント値でカウントするように
　を特徴とする画像形成システム。」
とあったものを、
　
「画像形成装置と後処理装置からなる画像形成システムにおいて、
　前記画像形成装置は、連続する複数の記録媒体の片面又は両面に対しページ番号を付与して画像形成を行うプリンタ部と、
前記記
　前記後処理装置は、
前記画像形成装置で
連続する複数の
　前記制御手段は、前記連続する複数の記録媒体に
対して前記プリンタ部でページ番号を付与する場合に、前記印刷モードが片面印刷モードに設定されている場合は挿入シート１枚につき片面分のページ数に相当する値をカウント値として加算し、前記印刷モードが両面印刷モードに設定されている場合は挿入シート１枚につき両面分のページ数に相当する値をカウント値として加算するようにページ番号のカウントを
　を特徴とする画像形成システム。」
と補正するものである（下線は審決で付した。以下同じ。）。
　
（２）上記（１）の請求項１に係る本件補正は、次の補正事項からなる。
　ア　本件補正前の請求項１に記載された「前記録媒体」を、「前記記録媒体」と補正する。
　イ　本件補正前の請求項１の発明特定事項である「『挿入シート』が『挿入』される『所定位置』」を、「画像形成された前記記録媒体の所定位置」から、「『画像形成装置で』画像形成された『連続する複数の』記録媒体の所定位置」と限定する。
　ウ　本件補正前の請求項１の発明特定事項である「制御手段」を、「連続する複数の記録媒体に付与するページ番号を、印刷モードが片面か両面かの印刷モードの判定結果に基づき、挿入する挿入シートのページ数を異なるカウント値でカウントするように制御する」ものから、「連続する複数の記録媒体に対してプリンタ部でページ番号を付与する場合に、印刷モードが片面印刷モードに設定されている場合は挿入シート１枚につき片面分のページ数に相当する値をカウント値として加算し、印刷モードが両面印刷モードに設定されている場合は挿入シート１枚につき両面分のページ数に相当する値をカウント値として加算するようにページ番号のカウントを制御する」ものと限定する。
　
２　本件補正の目的
　上記１（２）アの補正事項は、本件補正前の請求項１における誤記を訂正するものであり、上記１（２）イ及びウの補正事項は、いずれも本件補正前の請求項１の発明特定事項を限定するものであるから、請求項１に係る本件補正は、全体として、平成１８年法律第５５号改正附則第３条第１項によりなお従前の例によるとされる同法による改正前の特許法（以下「旧特許法」という。）第１７条の２第４項第２号に掲げる特許請求の範囲の減縮を目的とするものである。
　そこで、本件補正後の請求項１に係る発明（以下「本願補正発明」という。）が、特許出願の際独立して特許を受けることができるものであるか（旧特許法第１７条の２第５項において準用する同法第１２６条第５項の規定に適合するか）について以下検討する。
　
３　引用刊行物及び引用発明
（１）原査定の拒絶の理由に引用された、本願の優先日前に頒布された刊行物である特開２００１−３４７７３５号公報（以下「引用例１」という。）には、以下の事項が図とともに記載されている。
　
　ア　「【００１１】
【発明の実施の形態】以下では、本発明の実施の形態について図を参照しつつ説明する。図１は、本実施形態に係る
複写装置（画像形成装置）
複写装置は
画像読取部１０、画像書込部２０、画像形成部３０、転写紙搬送部４０、転写紙排紙部５０及び転写紙反転部６０から構成されている
　
　イ　「【００２２】ちなみに、本実施形態における複写装置においては、上記した感光体ドラム３１から転写紙Ｐへのトナー像の転写を、転写紙Ｐの一方の面のみへ行うのではなく、その他方の面に対しても実施することが可能である。…（略）…」
　
　ウ　「【００２８】次に、上記機構的構成となる複写装置に関する電気的な装置構成例について、図２を参照して説明する。上記した
画像読取部１０、画像書込部２０、画像形成部３０、転写紙搬送部４０、転写紙排紙部５０及び転写紙反転部６０における各種機構等は
制御手段としての中央制御部Ｃによって統括、制御がなされ
中央制御部Ｃには、入力部Ｃ１及びページカウンタＣ２が接続され
…（略）…
【００３１】
ページカウンタＣ２は、複数の転写紙の各々に順次ページ番号を付していく場合において、そのページ番号をカウントしていくもの
　
　エ　「【００４３】なお、上記では
転写紙の表面のみに画像形成及びページ番号印字を行う形態
上記転写紙反転部６０を利用した両面画像形成を行う場合には、ページ番号印字もそれに合致するような形態で行われ
　
　オ　「【００５４】（白紙挿入紙に対するページ番号印字設定機能）これは、
白紙挿入紙に対するページ番号印字設定を可能とする機能
白紙挿入紙とは、
単に用紙が挿入されるのみで画像形成が行われない挿入紙
【００５５】この場合においては、図１３に示すように、図１０を参照して説明したフローチャートと殆ど同様な操作ないし処理が図１１（図中右方参照）の画面を用いて実施されることになる。異なるのは、上記コピー挿入紙に対するページ番号印字設定においては、「印字する」、「印字しない」又は「スキップ」する、の三種類が選択可能であったところ、白紙挿入紙に対するページ番号印字設定では、「印字しない」又は「スキップ」する、の二種に限定されている点にある。ただ、これら「印字しない」又は「スキップ」が選択された後における実際のページ番号印字工程は、上記コピー挿入紙に対するそれと同様に行われる。
【００５６】以上のことから、白紙挿入紙に対するページ番号の印字は、例えば図１４（転写紙５枚に白紙挿入紙１枚が挿入）に示すようになる。すなわち、図１４（ａ）では、図１２（ｂ）と同様に、
挿入された白紙挿入紙Ｍａにページ番号は印字されないが、この白紙挿入紙Ｍａが挿入されたという事実は、ページカウンタＣ２によりカウントされ
　
　カ　上記アないしオから、引用例１には、次の発明（以下「引用発明１」という。）が記載されていると認められる。
　
「画像読取部、画像書込部、画像形成部、転写紙搬送部、転写紙排紙部及び転写紙反転部から構成されている画像形成装置であって、
　前記各部における各種機構等は、制御手段としての中央制御部によって統括、制御がなされ、この中央制御部には、入力部及びページカウンタが接続されており、
　前記ページカウンタは、複数の転写紙の各々に順次ページ番号を付していく場合において、そのページ番号をカウントしていくものであり、
　転写紙の表面のみに画像形成及びページ番号印字を行う場合と、前記転写紙反転部を利用した両面画像形成を行う場合とがあり、両面画像形成を行う場合には、ページ番号印字もそれに合致するような形態で行われ、
　単に転写紙が挿入されるのみで画像形成が行われない挿入紙である白紙挿入紙に対するページ番号印字設定を可能とする機能を備え、このページ番号印字設定には、挿入された白紙挿入紙にページ番号は印字されないが、この白紙挿入紙が挿入されたという事実は、ページカウンタによりカウントする設定が含まれている、
　画像形成装置。」
　
（２）原査定の拒絶の理由に引用された、本願の優先日前に頒布された刊行物である特開２００３−２７１０１４号公報（以下「引用例２」という。）には、以下の事項が図とともに記載されている。
　
　ア　「【０００２】
【従来の技術】
複写機等の画像形成装置
既に画像形成済みの用紙（合紙ともいう）
　
　イ　「【００１４】図１は、本発明を複写機に適用した実施例を示しており、この図において、
複写機は複写機本体１０、合紙処理部２０、後処理部３０等を有して構成され
後処理部３０は、用紙のソートやホチキス処理等の後処理を行う
　
　ウ　「【００２０】
合紙処理部２０は、合紙収納部２０１
を有し、合紙収納部２０１にセットされた合紙を適宜取り出して、複写機本体１０から排出されてきた画像形成済み用紙に付加し、後処理部３０に送出する
合紙収納部２０１は
画像形成済みの合紙を収納する
　
　エ　上記アないしウから、引用例２には、次の発明（以下「引用発明２」という。）が記載されていると認められる。
　
「複写機本体と、既に画像形成済みの用紙である合紙を収納する合紙収納部を有し、この合紙収納部にセットされた合紙を適宜取り出して、複写機本体から排出されてきた画像形成済み用紙に付加し、後処理部に送出する合紙処理部と、用紙のソートやホチキス処理等の後処理を行う後処理部とを有して構成された複写機等の画像形成装置。」
　
４　対比
　本願補正発明と引用発明１とを対比する。
（１）引用発明１の「画像形成装置」、「画像形成部」、「転写紙」、「制御手段としての中央制御部」、「『転写紙の表面のみに画像形成』を行う『場合』」、「両面画像形成を行う場合」及び「白紙挿入紙」は、それぞれ、本願補正発明の「画像形成装置」、「プリンタ部」、「記録媒体」、「制御手段」、「片面印刷モード」、「両面印刷モード」及び「挿入シート」に相当する。
　
（２）引用発明１の「画像形成装置」と本願補正発明の「画像形成装置と後処理装置からなる画像形成システム」とは、「画像形成装置を少なくとも含む装置」である点で一致するといえる。
　
（３）引用発明１において、「プリンタ部（画像形成部）」は、「記録媒体（転写紙）」の表面のみに画像形成及びページ番号印字を行う場合と、両面画像形成を行う場合とがあり、両面画像形成を行う場合には、ページ番号印字もそれに合致するような形態で行うものであり、かつ、ページ番号は、複数の「記録媒体」の各々に順次付されていくものであるから、引用発明１の「プリンタ部」と本願補正発明の「プリンタ部」とは、「連続する複数の記録媒体の片面又は両面に対しページ番号を付与して画像形成を行う」ものである点で一致する。
　
（４）引用発明１において、「制御手段（中央制御部）」にページカウンタが接続されており、このページカウンタが複数の「記録媒体（転写紙）」の各々に順次ページ番号を付していく場合において、そのページ番号をカウントしていく際、挿入された「挿入シート（白紙挿入紙）」にページ番号は印字されないが、この「挿入シート」が挿入されたという事実は、ページカウンタによりカウントし、かつ、両面画像形成を行う場合には、ページ番号印字もそれに合致するような形態で行われるところ、引用発明１の「制御手段」による「挿入シート」のページ番号のカウントは、片面画像形成及び両面画像形成それぞれに合致した形態で行われることが明らかであるから、引用発明１の「制御手段」と本願補正発明の「制御手段」とは、「記録媒体にページ番号を付与するためのページ番号カウントを制御する」ものである点で一致するとともに、「連続する複数の記録媒体に対してプリンタ部でページ番号を付与する場合に、印刷モードが片面印刷モードに設定されている場合は挿入シート１枚につき片面分のページ数に相当する値をカウント値として加算し、印刷モードが両面印刷モードに設定されている場合は挿入シート１枚につき両面分のページ数に相当する値をカウント値として加算するようにページ番号のカウントを制御する」ものである点でも一致する。
　
（５）上記（１）ないし（４）から、本願補正発明と引用発明１とは、
「画像形成装置を少なくとも含む装置において、
　前記画像形成装置は、連続する複数の記録媒体の片面又は両面に対しページ番号を付与して画像形成を行うプリンタ部と、前記記録媒体にページ番号を付与するためのページ番号カウントを制御する制御手段と、片面及び両面の印刷モードとを有し、
　前記制御手段は、前記連続する複数の記録媒体に対して前記プリンタ部でページ番号を付与する場合に、前記印刷モードが片面印刷モードに設定されている場合は挿入シート１枚につき片面分のページ数に相当する値をカウント値として加算し、前記印刷モードが両面印刷モードに設定されている場合は挿入シート１枚につき両面分のページ数に相当する値をカウント値として加算するようにページ番号のカウントを制御する、
　画像形成装置を少なくとも含む装置。」
である点で一致し、次の点で相違する。
　
相違点：
　本願補正発明が、「『画像形成装置で画像形成された連続する複数の記録媒体の所定位置に対して挿入する挿入シートを収容する給紙トレイ』と、『挿入シートを搬送する画像形成装置を経由しない搬送路』と、『後処理を行う後処理手段』とを有する『後処理装置』」を備えている「画像形成システム」であって、挿入シートとして、この後処理装置に収容されたものを用いるのに対して、
　引用発明１は、そのような後処理装置を備えておらず、挿入シートとして転写紙を用いる点。
　
５　判断
　上記相違点について検討する。
（１）上記３（２）エのとおり、引用例２には、「複写機本体と、既に画像形成済みの用紙である合紙を収納する合紙収納部を有し、この合紙収納部にセットされた合紙を適宜取り出して、複写機本体から排出されてきた画像形成済み用紙に付加し、後処理部に送出する合紙処理部と、用紙のソートやホチキス処理等の後処理を行う後処理部とを有して構成された複写機等の画像形成装置。」である引用発明２が記載されており、引用発明２の「合紙」と引用発明１の「白紙挿入紙」とは、挿入時に画像形成が行われない挿入紙である点で共通する。
　
（２）上記（１）から、引用発明１の画像形成装置において、既に画像形成済みの用紙である合紙を当該画像形成装置から排出されてきた画像形成済み用紙に付加し、かつ、用紙のソートやホチキス処理等の後処理を行うことができるようにするために、引用発明２の合紙収納部を有する合紙処理部と後処理部とを付加するとともに、挿入シートとして、付加した合紙処理部からの合紙を用いるとき、白紙挿入紙を用いるときと同様に、「連続する複数の記録媒体に対してプリンタ部でページ番号を付与する場合に、印刷モードが片面印刷モードに設定されている場合は挿入シート１枚につき片面分のページ数に相当する値をカウント値として加算し、印刷モードが両面印刷モードに設定されている場合は挿入シート１枚につき両面分のページ数に相当する値をカウント値として加算するようにページ番号のカウントを制御する」ようになすことは、当業者が引用発明２に基づいて容易に想到し得たことである。
　
（３）上記（２）の「合紙収納部」は、本願補正発明の「挿入シートを収容する給紙トレイ」に相当し、上記（２）の「合紙処理部」が、この合紙処理部内において合紙を搬送する搬送路を有することは明らかであるから、上記（２）の「合紙処理部」と「後処理部」とを合わせたものは、本願補正発明の「画像形成装置で画像形成された連続する複数の記録媒体の所定位置に対して挿入する挿入シートを収容する給紙トレイと、挿入シートを搬送する画像形成装置を経由しない搬送路と、後処理を行う後処理手段とを有する後処理装置」に相当し、また、このことから、上記（２）の「『合紙処理部』と『後処理部』とを付加した『画像形成装置』」は、本願補正発明の「画像形成装置と後処理装置からなる画像形成システム」に相当する。
　
（４）上記（２）及び（３）から、引用発明１において、上記相違点に係る本願補正発明の構成となすことは、当業者が引用発明２に基づいて容易になし得たことである。
　
（５）効果について
　本願補正発明が奏する効果は、当業者が、引用発明１及び引用発明２がそれぞれ奏する効果から予測し得たものである。
　
（６）まとめ
　以上のとおり、本願補正発明は、当業者が、引用例１に記載された発明及び引用例２に記載された発明に基づいて容易に発明をすることができたものである。
　したがって、本願補正発明は、特許法第２９条第２項の規定により特許出願の際独立して特許を受けることができないものである。
　
６　小括
　上記５のとおり、本願補正発明は、特許出願の際独立して特許を受けることができないものであるから、本件補正は、旧特許法第１７条の２第５項において準用する同法第１２６条第５項の規定に違反するものである。
　したがって、本件補正は、旧特許法第１５９条第１項において読み替えて準用する同法第５３条第１項の規定により却下すべきものである。
　
第３　本願発明について
１　本願発明
　本件補正は、上記第２のとおり却下されたので、本願の請求項１ないし３に係る発明は、本願の願書に最初に添付した明細書、特許請求の範囲及び図面の記載からみて、その特許請求の範囲の請求項１ないし３に記載された事項によってそれぞれ特定されるものと認められるところ、その請求項１に係る発明（以下「本願発明」という。）は、上記第２〔理由〕１（１）に本件補正前の請求項１として記載したとおりのものである。
　
２　引用刊行物及び引用発明
　引用例及び引用発明は、上記第２〔理由〕３に記載したとおりのものである。
　
３　対比・判断
　本願補正発明は本願発明の発明特定事項を限定したものである（上記第２〔理由〕２参照。）から、本願発明は本願補正発明から限定を省いたものに相当するところ、本願補正発明は、当業者が、引用例１に記載された発明及び引用例２に記載された発明に基づいて容易に発明をすることができたものであるから、本願発明も、同様の理由により、当業者が、引用例１に記載された発明及び引用例２に記載された発明に基づいて容易に発明をすることができたものである。
　
４　むすび 
　以上のとおり、本願発明は、当業者が、引用例１に記載された発明及び引用例２に記載された発明に基づいて容易に発明をすることができたものであるから、特許法第２９条第２項の規定により特許を受けることができない。
　よって、結論のとおり審決する。